(57)【特許請求の範囲】
【請求項１】
生ゴミを破砕して排水口に排出するために用いられる生ゴミ処理機であって、
内部にゴミ投入部が形成された処理機本体と、該処理機本体内部に設けられて、前記ゴミ投入部に対して突出状態に配置された外刃部と、前記ゴミ投入部の内部において前記外刃部と略同一の高さ位置に設けられて上部構成体と下部構成体とに分離可能な構成とされたハンマーと、前記ゴミ投入部から外部に連通する排出口とを備えてなり、
前記外刃部および前記ハンマーの一方は、回転軸を中心として回転駆動可能な構成とされ、
前記外刃部および前記ハンマーは、ともに、その少なくとも一部が、前記回転軸から一定の距離寸法に位置するように配置され、
前記ハンマーは、前記ゴミ投入部の略中央に位置する中央部と該中央部から前記処理機本体の内壁に向かって延出する複数の延出部とを備えた構成とされ、
延出部の先端を構成する上部構成体の突出部には、下方に向いた刃部が、その刃先がハンマーの回転方向に向くように設けられているとともに、延出部の先端を構成する前記下部構成体の突出部には、上方に向いた刃部が、その刃先がハンマーの回転方向に向くように設けられ、
前記上部構成体および前記下部構成体を一体化した際に、これら上部および下部構成体の間には、外刃部と略同一の高さに形成されて、前記外刃部および前記ハンマーの一方が回転駆動された際に前記外刃部の通過を許容する開口部が設けられ、
前記ゴミ投入部は、前記延出部により互いに区画された複数のゴミ破砕部を有して構成されていることを特徴とする生ゴミ処理機。
【請求項２】
請求項１に記載された生ゴミ処理機が用いられる生ゴミ資源化システムであって、
住宅内に配置された生ゴミ処理機と、該生ゴミ処理機の排出口に対して排水管を介して接続された生ゴミ資源化装置とを備えてなり、
生ゴミ資源化装置は、前記排水管により運搬された生ゴミと水分とを分離するための固液分離処理手段と、該固液分離処理手段により水分が分離された生ゴミをコンポスト処理するコンポスト処理手段とを備えた構成とされていることを特徴とする生ゴミ資源化システム。
【請求項３】
請求項２記載の生ゴミ資源化システムであって、
前記生ゴミ処理機は、集合住宅の各戸に設けられ、前記生ゴミ資源化装置は、これら各戸に設けられた生ゴミ処理機の排出口に対して前記排水管を介して接続されていることを特徴とする生ゴミ資源化システム。
【発明の詳細な説明】
【０００１】
【発明の属する技術分野】
本発明は、家庭から排出される生ゴミを、破砕処理するための生ゴミ処理機、および、生ゴミを資源化して再利用するための生ゴミ資源化システムに関するものである。
【０００２】
【従来の技術】
近年、家庭から排出されるゴミは、急激に増加の一途をたどり、ゴミ処理コストの増大や、ゴミ最終処分場の用地の確保の困難等の社会問題を引き起こしている。このような現状から、ゴミのリサイクル、再資源化への取り組みが急務とされている。
【０００３】
家庭ゴミの組成の約半分は生ゴミであり、生ゴミは工業製品ゴミに比べ、自然界の浄化プロセスを再現できれば、容易に分解可能である。そこで、住宅レベルでの生ゴミ処理システムとして、微生物を利用して土壌改良材に資源化するコンポスト方式、あるいは、乾燥、脱水、冷凍などの方式を採用したものが、商品化されている。
【０００４】
一方、台所からでた生ゴミを、その場ですぐに破砕して処分できるディスポーザ（生ゴミ処理機）は、その利便性が評価されて米国で広く普及している。図１４は、従来のディスポーザの外観を示す図である。図中に示すように、このディスポーザ１は、処理機本体２中にゴミ投入部３が設けられた構成となっている。ゴミ投入部３は、その底面３ａに回転駆動可能な円盤４が設けられた構成とされており、円盤４の上面には、可動ハンマー５が設けられている。また、ゴミ投入部３の側壁３ｂは、図１５にその外観を示すような環状体７によって構成されている。環状体７は、複数のスリット８，…が設けられた構成となっており、スリット８の周縁８ａは、ヤスリのような加工が施されている。
【０００５】
このディスポーザ１を用いて生ゴミを破砕処理するには、ゴミ投入部３に生ゴミを投入するとともに、円盤４を回転駆動することにより、可動ハンマー５により生ゴミを環状体７のスリット８，…に圧接させる。これにより生ゴミは、スリット８の周縁８ａのヤスリ加工によりすりつぶされ、スリット８，…を通じ排水孔から排出される。
【０００６】
【発明が解決しようとする課題】
上述のような生ゴミ処理システムにおいては、装置費が高価となること、臭い対策で設置場所が戸外となり、台所からのハンドリングが必要で、生ゴミ問題を本質的に解決していないことなどの問題点があった。
【０００７】
また、ディスポーザは、利便性等において優れているが、我が国においては、下水処理場への配慮から、各自治体により使用が事実上制限されている。そこで、ディスポーザ導入の前提として、下水道、河川への放流前に排水基準を満たすための排水処理システムが必要となるが、このような排水処理システムを設けた場合、上述のディスポーザ１は、ゴミをすりつぶす型式となっているために、破砕ゴミの粒径が小さく、スクリーン等による固液分離時のゴミの回収効率が低くなってしまっていた。この場合、これを補うために、システムの排水処理能力を大きくしなければならず、システムの建設・管理等のコストが嵩んでしまうという問題点があった。
【０００８】
本発明は、上記事情に鑑みなされたものであり、その目的は、破砕ゴミの粒径を従来に比べて大きくし、破砕ゴミを固液分離する際の回収効率の向上を図ることができるような生ゴミ処理機を提供することにある。
また、別の目的は、生ゴミ処理機を利用することにより、ハンドリング等が不要な利便性に優れた生ゴミ資源化システムを提供することにある。
【０００９】
【課題を解決するための手段】
上記課題を解決するために本発明においては以下の手段を採用した。
すなわち、請求項１記載の生ゴミ処理機は、生ゴミを破砕して排水口に排出するために用いられる生ゴミ処理機であって、
内部にゴミ投入部が形成された処理機本体と、該処理機本体内部に設けられて、前記ゴミ投入部に対して突出状態に配置された外刃部と、前記ゴミ投入部の内部において前記外刃部と略同一の高さ位置に設けられて上部構成体と下部構成体とに分離可能な構成とされたハンマーと、前記ゴミ投入部から外部に連通する排出口とを備えてなり、
前記外刃部および前記ハンマーの一方は、回転軸を中心として回転駆動可能な構成とされ、
前記外刃部および前記ハンマーは、ともに、その少なくとも一部が、前記回転軸から一定の距離寸法に位置するように配置され、
前記ハンマーは、前記ゴミ投入部の略中央に位置する中央部と該中央部から前記処理機本体の内壁に向かって延出する複数の延出部とを備えた構成とされ、
延出部の先端を構成する上部構成体の突出部には、下方に向いた刃部が、その刃先がハンマーの回転方向に向くように設けられているとともに、延出部の先端を構成する前記下部構成体の突出部には、上方に向いた刃部が、その刃先がハンマーの回転方向に向くように設けられ、
前記上部構成体および前記下部構成体を一体化した際に、これら上部および下部構成体の間には、外刃部と略同一の高さに形成されて、前記外刃部および前記ハンマーの一方が回転駆動された際に、前記外刃部の通過を許容する開口部が設けられ、
前記ゴミ投入部は、前記延出部により互いに区画された複数のゴミ破砕部を有して構成されていることを特徴としている。
【００１０】
このような構成とされるために、この生ゴミ処理機においては、ハンマーと外刃部とが相対移動することにより、外刃部が、ハンマーに押さえつけられた生ゴミに対して相対移動し、生ゴミが、外刃部により切断して破砕されることとなる。
【００１２】
また、上部構成体および下部構成体の突出部に刃部が設けられているため、この生ゴミ処理機においては、より効率的に生ゴミを切断破砕することができる。
【００１４】
また、ハンマーは上部構成体と下部構成体とに分離可能な構成とされ、上部構成体と下部構成体との間に外刃部の通過を許容する開口部が設けられているため、この生ゴミ処理機においては、開口部を有するハンマーを容易に形成することができる。
【００１６】
また、この生ゴミ処理機においては、ゴミ投入部がハンマーによって複数に区画されることから、ゴミ投入部に生ゴミを投入した際に、ハンマーと生ゴミとの接触面積が確保され、外刃部とハンマーとが相対移動する際に、生ゴミを容易にハンマーにより押さえつけることができる。
【００１７】
請求項２記載の生ゴミ資源化システムは、請求項１に記載された生ゴミ処理機が用いられる生ゴミ資源化システムであって、
住宅内に配置された生ゴミ処理機と、該生ゴミ処理機の排出口に対して排水管を介して接続された生ゴミ資源化装置とを備えてなり、
生ゴミ資源化装置は、前記排水管により運搬された生ゴミと水分とを分離するための固液分離処理手段と、該固液分離処理手段により水分が分離された生ゴミをコンポスト処理するコンポスト処理手段とを備えた構成とされていることを特徴としている。
【００１８】
このような構成とされるために、この生ゴミ資源化システムにおいては、住宅内で発生した生ゴミを、ハンドリングすることなしに生ゴミ資源化装置に運搬し、資源化することができる。また、請求項１に記載された生ゴミ処理機が用いられるため、この生ゴミ資源化システムにおいては、生ゴミ処理機による生ゴミの破砕粒径を排水管などの詰りを生じさせない一定以上のものとすることができる。
【００１９】
請求項３記載の生ゴミ資源化システムは、請求項２記載の生ゴミ資源化システムであって、
前記生ゴミ処理機は、集合住宅の各戸に設けられ、前記生ゴミ資源化装置は、これら各戸に設けられた生ゴミ処理機の排水口に対して前記排水管を介して接続されていることを特徴としている。
【００２０】
このような構成とされるために、この生ゴミ資源化システムにおいては、生ゴミ資源化装置を集合住宅の各戸で共用とすることができる。
【００２３】
【発明の実施の形態】
以下、本発明の実施の形態を、図面に基づいて説明する。
図２は、本発明の一実施の形態である生ゴミ資源化システム１１の概略構成を示す図である。この生ゴミ資源化システム１１は、集合住宅１２の各戸１３，…に設けられたディスポーザ（生ゴミ処理機）１４，…と、ディスポーザ１４，…と排水管１５，…を介して接続された生ゴミ資源化装置１７とを備えた構成となっている。
【００２４】
ここでは、各戸１３，…において発生した生ゴミが、ディスポーザ１４，…において破砕され、水とともに排水管１５を通じて生ゴミ資源化装置１７に搬送される。生ゴミ資源化装置１７は、固液分離装置（固液分離処理手段）１８と、発酵装置（コンポスト処理手段）１９とを備えた構成となっており、これらにより、生ゴミ資源化装置１７に搬送された生ゴミは、水分が分離され、さらに、発酵させられてコンポスト処理され、肥料・土壌改良材２１として資源化されることとなる。また、固液分離装置１８により分離された水分は、例えば、必要とされる水処理の後、下水道等に放流されるか、または再利用される。
【００２５】
図１は、各戸１３，…に設置されたディスポーザ１４の外観を示す図である。このディスポーザ１４は、処理機本体２４の内部にゴミ投入部２５が形成された構成となっており、ゴミ投入部２５の内部には、ハンマー２６が設けられている。
また、処理機本体２４には、ゴミ投入部２５の内部と外部とを連通する排出口２８が設けられており、この排出口２８は、排水管１５（図２参照）に接続される。
【００２６】
図３は、処理機本体２４の内部の構成の詳細を示す図である。図中に示すように、処理機本体２４の内部には、ゴミ投入部２５の外周部をなす外周部材３０が配置され、その内部に、ハンマー２６が配置された構成となっている。また、ゴミ投入部２５の内部には、図４に示すような円盤の三方の縁を切り落とした形状とされた底板３１が設けられ、この底板３１上にハンマー２６が位置する構成となっている。
【００２７】
また、ハンマー２６は、ゴミ投入部２５の略中央に位置する中央部３２と、中央部３２から三方に延出する延出部３３，…とを備えた構成となっており、延出部３３は、ゴミ投入部２５を三つのゴミ破砕部３４，…に区画している。
【００２８】
また、ハンマー２６は、ゴミ投入部２５の中央に位置する回転軸３５の周りを、図示しない直流モータを駆動手段として回転駆動可能な構成となっている。
【００２９】
また、処理機本体２４の内側には、ゴミ投入部２５内に向けて外刃部３７が突出状態に設けられている。外刃部３７とハンマー２６の延出部３３とは、ともに、その少なくとも一部が回転軸３５から一定の距離寸法に位置するように配置されている。
【００３０】
図５は、処理機本体の内側を、図３における矢印Ａ方向から見た際の状態を示す図である。図中に示すように、ハンマー２６は、上部構成体３８と下部構成体３９とにより構成されている。これらは、図示しないボルトにより互いに結合されるとともに、分離可能な構成となっている。また、外刃部３７とハンマー２６とは略同一の高さ位置に設けられている。
【００３１】
図６は、ハンマー２６の上部構成体３８の構成を示す図であり、（ａ）は、その平面図を表している。ハンマー２６の延出部３３の先端を構成する上部構成体３８の突出部３８ａ，…には、刃部４０が下方に向いた状態で設けられている。また、（ｂ）は、刃部４０を拡大して見た際の図であり、刃部４０は、その刃先４０ａがハンマー２６の回転方向（図中Ｂ方向）に向くように設けられている。
【００３２】
また、図７は、ハンマー２６の下部構成体３９の構成を示す図である。図中（ａ）に示すように、下部構成体３９の突出部３９ａ，…には、刃部４１が上方に向いた状態で設けられ、刃部４１は、刃先４１ａが、ハンマー２６の回転方向（図中Ｂ方向）に向いた状態とされている。
【００３３】
これら上部構成体３８および下部構成体３９は、その刃部４０，４１が互いに対向する状態で一体化されるが、この際、図８に示すように、刃部４０および４１の間には、外刃部３７と略同一の高さに位置するように開口部４２が形成される。この開口部４２は、ハンマー２６が回転駆動された際に、外刃部３７の通過を許容する役割を果たす。さらに、図９に示すように、上部構成体３８および下部構成体３９は、スライド可能な構成となっている。
【００３４】
図１０は、外周部材３０の形状を示す図である。図中に示すように、外周部材３０は環状に形成されるとともに、その下端３０ａの一部が略半円形状に切り欠かれ、この部分が排出孔４４として形成された構成となっている。排出孔４４は、処理機本体２４の排出口２８に対向配置されて、ゴミ投入部２５中において破砕された生ゴミを外部へ排出する役割を果たす。また、この外周部材３０には、処理機本体２４から内側へ突出した外刃部３７が挿通される図示略の挿通孔が設けられた構成となっている。
【００３５】
このような構成とされたディスポーザ１４においては、ゴミ投入部２５の内部に形成されたゴミ破砕部３４，…に生ゴミが投入された後、ハンマー２９が回転駆動されることにより、生ゴミがハンマー２９により押さえつけられて、ハンマー２９とともに回転することとなる。さらに、この際、外刃部３７の位置が固定されていることにより、生ゴミと外刃部３７とが当接し、生ゴミは、外刃部３７によって細断され、排出孔４４および排出口２８を通じて、排水管１５（図２参照）に排出される。また、ハンマー２９が回転駆動される際に、外刃部３７は、開口部４２内を通過することになるが、この場合、開口部４２が刃部４０および４１の間に形成されることから、外刃部３７に付着した生ゴミは、刃部４０および４１によって切断破砕される。
【００３６】
このように、ディスポーザ１４においては、生ゴミが外刃部３７および刃部４０，４１によって切断される形態となっており、生ゴミをすりつぶす形態とされた従来のディスポーザに比較して、生ゴミの粒径が過小なものとならない。したがって、排水管１５を通じて生ゴミ資源化装置１７へ搬送された生ゴミから、固液分離装置１８により容易に水分を除去し、資源となる生ゴミの回収率を高め、水の汚濁を最小にして、生ゴミを資源化することができる。その効果を具体的に示すのが、図１１に示すグラフである。図１１は、固液分離装置１８におけるスクリーンの篩の目の粗さを横軸に、固液分離装置１８により回収された生ゴミの乾燥重量の累積値を縦軸に示したものであり、本実施の形態のディスポーザ１４（改造ディスポーザ）を用いた場合には、従来のディスポーザを用いた場合に比較して、ゴミの回収効率が飛躍的に向上するのが理解できる。
【００３７】
上述のディスポーザ１４においては、ハンマー２６が回転軸３５を中心として回転駆動可能な構成とされ、さらに、外刃部３７とハンマー２６の延出部３３，…との双方が、回転軸３５から一定の距離寸法に位置しており、さらに、ハンマー２６に、ハンマー２６が回転駆動された際に、外刃部３７の通過を許容する開口部４２が設けられた構成となっていることから、生ゴミが、ハンマー２６により回転駆動させられるとともに、この回転駆動させられた生ゴミが、外刃部３７に対して相対移動し、したがって、生ゴミが、外刃部３７により切断して破砕され、排出口２８より排出されることとなる。したがって、ゴミをすりつぶす型式とされた従来のディスポーザに比較して、生ゴミの破砕粒径を大きくすることができ、これにより、本実施の形態における生ゴミ資源化装置１７のような、ゴミを固液分離処理して資源化する装置にこのディスポーザ１４を接続した場合に、従来のディスポーザを用いた場合と比べ、ゴミの回収効率を格段に向上させることができる。したがって、従来型のディスポーザに用いた場合に比較して、容易に排水基準を満たすことが可能となり、その結果、下水処理場への配慮等が不要となり、ディスポーザの適用範囲の拡大を図ることが可能となる。
【００３８】
また、上述のディスポーザ１４においては、ハンマー２６の開口部４２にも刃部４０，４１が設けられるために、外刃部３７に付着した生ゴミを容易に切断することができ、生ゴミの破砕効率を向上させることができる。
【００３９】
さらに、上述のディスポーザ１４においては、ハンマー２６が上部構成体３８と下部構成体３９とに分離可能な構成とされ、さらに、開口部４２が、上部構成体３８および下部構成体３９を一体化した際に、これらの間に形成されることから、ハンマー２６を開口部４２を有したものとして容易に製作することができる。
【００４０】
また、上述のディスポーザ１４においては、ハンマー２６が中央部３２と延出部３３，…とにより形成されており、この延出部３３，…により、ゴミ投入部２５が複数のゴミ破砕部３４，…に区画された構成となっていることから、ゴミ投入部２５に生ゴミを投入した際に、ハンマー２６と生ゴミとの接触面積が確保され、ハンマー２６の回転に伴って生ゴミが良好に回転することが可能となる。これにより、生ゴミを良好に切断破砕することができる。
【００４１】
さらに、この他にも、上述のディスポーザ１４においては、ゴミ投入部２５内の生ゴミが、外周部材３０に設けられた排出孔４４を通じて排出口２８から外部へ排出される構成となっているために、スリットを通じて破砕された生ゴミが排出される構成とされた従来のディスポーザに比較して、ゴミの破砕粒径が大きくても破砕ゴミが外部へ容易に排出されることとなる。さらに、底板３１を円盤の三方の縁部を切り落とした構成としたために、ゴミ投入部２５から排出孔４４への生ゴミの通り道を確保することができ、破砕ゴミの外部への排出がより一層容易なものとなる。これらにより、生ゴミの内部滞留時間を従来に比較して少なくすることができ、モータによる騒音・振動および消費電力の低減化と、ディスポーザ１４を運転するにあたって必要な洗浄水の節約とを実現することができる。
【００４２】
また、このディスポーザ１４においては、上述のように生ゴミを良好に切断破砕することが可能であることから、運転時のモータの回転数を従来の装置の半分程度にすることができ、騒音レベルをさらに低下させることができる。この場合、モータの回転数の低減を行うにあたっては、モータのトルクの確保が問題となるが、上述のように、モータとして低速トルクの大きい直流モータを使用するようにすれば、この問題を解決することができる。
【００４３】
なお、上述のようなディスポーザ１４の騒音、洗浄水およびエネルギーの低減効果は、図１２および１３に示したグラフから明らかである。図１２は、ディスポーザの運転中の中心周波数と音圧レベルとの関係を示したグラフであり、このグラフによれば、本実施の形態のディスポーザ１４（開発ＤＳＰ）においては、従来のディスポーザ（従来ＤＳＰ）に比較して音圧レベルの低減化が図られていることが理解できる。また、図１３は、同一の量の生ゴミを破砕処理するにあたって、運転開始からの経過時間と音圧レベルとの関係を、本実施の形態のディスポーザ１４（開発ＤＳＰ）と従来のディスポーザ（従来ＤＳＰ）とで比較したものである。このグラフに示すように、本実施の形態のディスポーザ１４（開発ＤＳＰ）においては、従来型に比較して約半分の時間で生ゴミの破砕処理が可能であり、また、音圧レベルについても、従来型に比較して低減化が図られていることが理解できる。
【００４４】
一方、上述の生ゴミ資源化システム１１においては、各戸１３，…に配置されたディスポーザ１４と、排水管１５により運搬された生ゴミと水分とを分離するための固液分離処理装置１８と、固液分離処理装置１８により水分が分離されたゴミをコンポスト処理する発酵装置１９とを備えた構成とされているために、住宅内で発生したゴミを、ハンドリングすることなしに生ゴミ資源化装置１７に運搬し、資源化することが可能であり、従来の生ゴミ処理システム等に比較して利便性に優れたものを実現することができる。
【００４５】
また、上述の生ゴミ資源化システム１１においては、生ゴミ資源化装置１７を集合住宅１２の各戸１３，…で共用としているため、システム導入にあたっての一戸あたりのイニシャルコストや、一戸あたりのシステムの運転・管理費用の低減化を図ることができる。
【００４６】
さらに、この生ゴミ資源化システム１１においては、生ゴミ処理機として上述のディスポーザ１４が用いられるために、生ゴミの破砕粒径を一定以上に確保することができ、固液分離装置１８による固液分離処理における生ゴミの回収効率を向上させ、生ゴミを効率的に資源化することが可能となる。
【００４７】
【発明の効果】
以上説明したように、請求項１に係る生ゴミ処理機においては、外刃部およびハンマーの一方が、回転軸を中心として回転駆動可能な構成とされ、さらに、外刃部とハンマーとの少なくとも一部が、回転軸から一定の距離寸法に位置する構成とされ、また、ハンマーが、上部構成体と下部構成体とに分離可能な構成とされているとともに、ゴミ投入部の略中央に位置する中央部と該中央部から処理機本体の内壁に向かって延出する複数の延出部とを備えた構成とされ、延出部の先端を構成する上部構成体の突出部には、下方に向いた刃部が、その刃先がハンマーの回転方向に向くように設けられているとともに、延出部の先端を構成する前記下部構成体の突出部には、上方に向いた刃部が、その刃先がハンマーの回転方向に向くように設けられ、さらに、上部構成体と下部構成体とを一体化した際に、これら上部および下部構成体の間に、外刃部と略同一の高さに形成されて、外刃部およびハンマーの一方が回転駆動された際に、外刃部の通過を許容する開口部が設けられた構成となっており、さらに、ゴミ投入部は、延出部により区画された複数のゴミ破砕部を有した構成となっていることから、内部に投入されたゴミが、外刃部に対して相対移動することとなり、切断破砕されて排出口より排出されることとなる。したがって、生ゴミをすりつぶす型式とされた従来のディスポーザに比較して、ゴミの破砕粒径を大きくすることができ、これにより、生ゴミを固液分離処理して資源化する装置に生ゴミ処理機を接続した場合に、従来のディスポーザを用いた場合に比較して、生ゴミの回収効率を格段に向上させることができる。この場合、従来型のディスポーザとは異なり、下水処理場への配慮等が不要となり、ディスポーザの適用範囲の拡大を図ることが可能となる。
【００４８】
また、開口部を形成する上部構成体および下部構成体の突出部に刃部を設けた構成としたために、外刃部に付着した生ゴミを切断することが可能となり、生ゴミの破砕効率を向上させることができる。
【００４９】
また、ハンマーが上部構成体と下部構成体とに分離可能な構成とされ、さらに、開口部が、上部構成体および下部構成体を一体化した際に、これらの間に形成されることから、ハンマーを開口部を有したものとして容易に形成することができ、製作が容易である。
【００５０】
また、ハンマーが中央部と延出部とにより形成されており、この延出部により、ゴミ投入部が複数のゴミ破砕部に区画された構成となっていることから、ゴミ投入部に生ゴミを投入した際に、ハンマーと生ゴミとの接触面積が確保され、ハンマーの回転に伴って生ゴミが良好に回転することが可能となる。これにより、生ゴミを良好に切断破砕することができる。
【００５１】
請求項２に係る生ゴミ資源化システムにおいては、請求項１記載の生ゴミ処理機と、この生ゴミ処理機に対して排水管を介して生ゴミ資源化装置とが備えられており、生ゴミ資源化装置には、排水管により運搬された生ゴミと水分とを分離するための固液分離処理手段と、固液分離処理手段により水分が分離された生ゴミをコンポスト処理するコンポスト処理手段とが備えられているために、住宅内で発生した生ゴミを、ハンドリングすることなしに生ゴミ資源化装置に運搬し、資源化することが可能であり、従来の生ゴミ処理システム等に比較して利便性に優れたものを実現することができる。また、生ゴミ処理機としては、一般のディスポーザを利用することが可能であり、汎用性が高い。また、生ゴミ処理機として請求項１記載のものが用いられるために、生ゴミの破砕粒径を一定以上に確保することができ、固液分離手段による固液分離処理における生ゴミの回収効率を向上させ、生ゴミを効率的に資源化することが可能となる。
【００５２】
請求項３に係る生ゴミ資源化システムにおいては、生ゴミ資源化装置を集合住宅の各戸で共用としているために、システム導入にあたっての一戸あたりのイニシャルコストや、一戸あたりのシステムの運転・管理費用の低減化を図ることができる。
【図面の簡単な説明】
【図１】  本発明の一実施の形態を模式的に示すディスポーザ（生ゴミ処理機）の外観斜視図である。
【図２】  本発明の一実施の形態である生ゴミ資源化システムの概要を示す模式図である。
【図３】  図１に示したディスポーザの処理機本体の内部の状態を模式的に示す平面図である。
【図４】  図３に示した処理機本体の内部に配置された底板の形状を示す平面図である。
【図５】  図３に示した処理機本体の内部を、図３中の矢印Ａ方向から見た際の立面図である。
【図６】  図３に示した処理機本体のハンマーを構成する上部構成体の形状を示す図であり、（ａ）は、上部構成体の平面図、（ｂ）は、上部構成体の刃部を拡大して見た図である。
【図７】  図３に示した処理機本体のハンマーを構成する下部構成体の形状を示す図であり、（ａ）は、下部構成体の平面図、（ｂ）は、下部構成体の刃部を拡大して見た図である。
【図８】  図６，７に示した上部構成体および下部構成体を一体化した際にこれらの刃部間に形成される開口部と、外刃部との位置関係を示す立断面図である。
【図９】  図６，７に示した上部構成体および下部構成体をスライドさせて一体化した際の状態を示すハンマーの平面図である。
【図１０】  図３に示したゴミ投入部の外周を構成する外周部材の形状を示す斜視図である。
【図１１】  図１に示した固液分離装置における生ゴミの回収率を従来のディスポーザと本実施の形態のディスポーザとで比較するための図であって、回収された生ゴミの乾燥重量を、固液分離装置におけるスクリーンの篩の目の粗さごとに示したグラフである。
【図１２】  本実施の形態のディスポーザによる騒音の低減効果を従来のディスポーザと比較して示すための図であって、ハンマーを回転駆動した際の中心周波数とディスポーザの音圧レベルとの関係を示すグラフである。
【図１３】  本実施の形態のディスポーザによる騒音・振動、洗浄水、および消費電力の低減効果を従来のディスポーザと比較して示すための図であって、ディスポーザの運転開始からの音圧レベルとディスポーザの音圧レベルとの関係を示すグラフである。
【図１４】  本発明の従来の技術を示すディスポーザ（生ゴミ処理機）の外観斜視図である。
【図１５】  図１５に示したディスポーザに用いられる環状体の外観斜視図である。
【符号の説明】
１１  生ゴミ資源化システム
１２  集合住宅
１３  各戸
１４  ディスポーザ（生ゴミ処理機）
１５  排水管
１７  生ゴミ資源化装置
１８  固液分離装置（固液分離手段）
１９  発酵装置（コンポスト処理手段）
２４  処理機本体
２５  ゴミ投入部
２６  ハンマー
２８  排出口
３２  中央部
３３  延出部
３４  ゴミ破砕部
３５  回転軸
３７  外刃部
３８  上部構成体
３９  下部構成体
４０，４１  刃部
４２  開口部
【図１】
0003640203.tif 000002
【図２】
0003640203.tif 000003
【図３】
0003640203.tif 000004
【図４】
0003640203.tif 000005
【図５】
0003640203.tif 000006
【図６】
0003640203.tif 000007
【図７】
0003640203.tif 000008
【図８】
0003640203.tif 000009
【図９】
0003640203.tif 000010
【図１０】
0003640203.tif 000011
【図１１】
0003640203.tif 000012
【図１２】
0003640203.tif 000013
【図１３】
0003640203.tif 000014
【図１４】
0003640203.tif 000015
【図１５】
0003640203.tif 000016